(57)【要約】【課題】ＦＴＴＨ方式のＣＡＴＶシステムにおいて、データ通信サービスの上り帯域を映像配信サービスの上り帯域よりも拡大すること。【解決手段】光端末機１３は、光ファイバーケーブル１１に接続し、同軸ケーブル１６、１７を介してセットトップボックス１４、およびケーブルモデムに接続している。光端末機１３は、Ｏ／Ｅ変換器１０１、Ｅ／Ｏ変換器１０２と、Ｏ／Ｅ変換器１０１に接続する分配器１０３と、Ｅ／Ｏ変換器１０２に接続する混合器１０４と、分配器１０３および混合器１０４に接続し、同軸ケーブル１６に接続する分波器１０５と、分配器１０３および混合器１０４に接続し、同軸ケーブル１７に接続する分波器１０６と、によって構成されている。【選択図】図２
2010263402.tif 000002
【特許請求の範囲】
【請求項１】
複数の光伝送路と、複数の電気伝送路と、前記光伝送路と前記電気伝送路とを接続する光端末機と、を有したＦＴＴＨ方式のＣＡＴＶシステムにおいて、
前記光端末機は、
複数の前記電気伝送路それぞれから入力された上り電気信号を、それぞれ分波する複数の分波手段と、
各前記分波手段からの上り電気信号を混合して出力する混合器と、
前記混合器から出力された上り電気信号を、上り光信号に変換して前記光伝送路に出力するＥ／Ｏ変換器と、
入力された下り光信号を下り電気信号に変換して出力するＯ／Ｅ変換器と、
前記下り電気信号を、前記電気伝送路の数と同数に分配する分配器と、
を有し、
前記分配器によって分配された前記下り電気信号は、それぞれ前記各分波手段を介して複数の前記電気伝送路から出力され、
各前記分波手段は、前記上り電気信号および前記下り電気信号の通過帯域がそれぞれ異なる、
ことを特徴とするＦＴＴＨ方式のＣＡＴＶシステム。
【請求項２】
複数の前記電気伝送路のうち、１つはセットトップボックスに接続され、１つはケーブルモデムに接続され、前記ケーブルモデムに接続された前記分波手段の前記上り電気信号の通過帯域幅は、前記セットトップボックスに接続された前記分波手段の前記上り電気信号の通過帯域幅よりも広い、ことを特徴とするＦＴＴＨ方式のＣＡＴＶシステム。
【発明の詳細な説明】
【技術分野】
【０００１】
本発明は、ＦＴＴＨ方式のＣＡＴＶシステムに関するものであり、特に光端末機に特徴を有するものである。
【背景技術】
【０００２】
セットトップボックスを利用した映像配信サービスと、ケーブルモデムを利用したデータ通信サービスの双方を提供するＦＴＴＨ方式のＣＡＴＶシステムが従来より知られている（たとえば特許文献１）。このＦＴＴＨ方式のＣＡＴＶシステムの構成は、たとえば、ヘッドエンドから各加入者宅までを光ファイバーによる配線とし、加入者宅に設置された光端末機によって光信号と電気信号とを相互に変換し、光端末機とセットトップボックスおよびケーブルモデムとを同軸ケーブルによって接続する構成である。
【０００３】
映像配信サービスは、多チャンネルの放送配信が主たる目的であり、下りが主体の双方向通信である。一方、データ通信サービスは、インターネット接続などの双方向通信サービスであり、映像配信サービスよりも上り伝送容量を増大したいとの需要が多い。
【０００４】
図４は、ＦＴＴＨ方式のＣＡＴＶシステムにおいて用いる従来の光端末機２３の構成を示した図である。光端末機２３は、光ファイバーケーブル２０１に接続する波長分割多重化装置２０２と、波長分割多重化装置２０２に接続するＯ／Ｅ変換器２０３、Ｅ／Ｏ変換器２０４と、Ｏ／Ｅ変換器２０３およびＥ／Ｏ変換器２０４に接続し、同軸ケーブル２０５に接続する分波器２０６と、によって構成されている。同軸ケーブル２０５は、分配器によって分配されてセットトップボックスやケーブルモデムに接続する。
【先行技術文献】
【特許文献】
【０００５】
【特許文献１】特開２００３−２３０１２４
【発明の概要】
【発明が解決しようとする課題】
【０００６】
しかし、上記のような従来の光端末機を用いたＦＴＴＨ方式のＣＡＴＶシステムでは、データ通信サービスにおける通信の上下帯域は、映像配信サービスにおける通信の上下帯域と同一となるため、データ通信サービスにおける通信の上り帯域を拡大させることはできず、上り伝送容量を増大したいという需要に応えることができなかった。
【０００７】
そこで本発明の目的は、映像配信サービスにおける通信の上下帯域とデータ通信サービスにおける通信の上下帯域とが異なるように構成することができるＦＴＴＨ方式のＣＡＴＶシステムを実現することである。
【課題を解決するための手段】
【０００８】
第１の発明は、複数の光伝送路と、複数の電気伝送路と、光伝送路と電気伝送路とを接続する光端末機と、を有したＦＴＴＨ方式のＣＡＴＶシステムにおいて、光端末機は、複数の電気伝送路それぞれから入力された上り電気信号を、それぞれ分波する複数の分波手段と、各分波手段からの上り電気信号を混合して出力する混合器と、混合器から出力された上り電気信号を、上り光信号に変換して光伝送路に出力するＥ／Ｏ変換器と、入力された下り光信号を下り電気信号に変換して出力するＯ／Ｅ変換器と、下り電気信号を、電気伝送路の数と同数に分配する分配器と、を有し、分配器によって分配された下り電気信号は、それぞれ各分波手段を介して複数の電気伝送路から出力され、各分波手段は、上り電気信号および下り電気信号の通過帯域がそれぞれ異なる、ことを特徴とするＦＴＴＨ方式のＣＡＴＶシステムである。
【０００９】
第２の発明は、第１の発明において、複数の電気伝送路のうち、１つはセットトップボックスに接続され、１つはケーブルモデムに接続され、ケーブルモデムに接続された分波手段の上り電気信号の通過帯域幅は、セットトップボックスに接続された分波手段の上り電気信号の通過帯域幅よりも広い、ことを特徴とするＦＴＴＨ方式のＣＡＴＶシステムである。
【発明の効果】
【００１０】
第１の発明では、光端末機の各分波手段として、電気信号の通過帯域がそれぞれ異なるものを用いている。そのため、それぞれ帯域の異なる下り電気信号が、それぞれの電気伝送路を伝送し、それぞれの電気伝送路からのそれぞれ帯域の異なる上り電気信号が、混合されて上り光信号に変換される。したがって、本発明のＦＴＴＨ方式のＣＡＴＶシステムによれば、それぞれの電気伝送路ごとに、上り・下りの通信帯域の異なる双方向通信を行うことができる。
【００１１】
また、第２の発明によれば、セットトップボックスを利用した映像配信サービスの上り帯域よりも、ケーブルモデムを利用したデータ通信サービスの上り帯域を拡大することができるので、データ通信サービスの上り伝送容量増大の需要に応えることができる。
【図面の簡単な説明】
【００１２】
【図１】実施例１のＦＴＴＨ方式のＣＡＴＶシステムの構成を示した図。
【図２】光端末機１３の構成を示した図。
【図３】通信帯域について示した図。
【図４】従来の光端末機の構成を示した図。
【発明を実施するための形態】
【００１３】
以下、本発明の具体的な実施例について図を参照に説明するが、本発明は実施例に限定されるものではない。
【実施例１】
【００１４】
図１は、実施例１のＦＴＴＨ方式のＣＡＴＶシステムの構成を示した図である。ＦＴＴＨ方式のＣＡＴＶシステムは、ヘッドエンド１０に接続する光ファイバーケーブル１１と、光ファイバーケーブル１１を複数に分岐させる光分配器１２と、各加入者宅に設置され、各光ファイバーケーブル１１に接続する光端末機１３と、加入者宅に設置されたセットトップボックス１４、およびケーブルモデム１５と光端末機１３とを接続する同軸ケーブル１６、１７と、によって構成されている。セットトップボックス１４は、テレビ受信機（図示しない）などに接続し、ケーブルモデム１５は、パーソナルコンピュータ（図示しない）などに接続している。
【００１５】
光端末機１３は、図２に示すように、光ファイバーケーブル１１に接続する波長分割多重化装置１００と、波長分割多重化装置１００に接続するＯ／Ｅ変換器１０１、Ｅ／Ｏ変換器１０２と、Ｏ／Ｅ変換器１０１に接続する分配器１０３と、Ｅ／Ｏ変換器１０２に接続する混合器１０４と、分配器１０３および混合器１０４に接続し、同軸ケーブル１６に接続する分波器１０５と、分配器１０３および混合器１０４に接続し、同軸ケーブル１７に接続する分波器１０６と、によって構成されている。
【００１６】
波長分割多重化装置１００は、下り光信号の波長の光と、上り光信号の波長の光をそれぞれ通過させる波長フィルタである。Ｏ／Ｅ変換器１０１は、下り光信号の波長である光を下り電気信号に変換する。また、Ｅ／Ｏ変換器１０２は、上り電気信号を上り光信号の波長である光に変換する。下り光信号の波長と上り光信号の波長は異なり、その波長の異なる下り光信号と上り電気信号が多重化されて光ファイバーケーブル１１を伝送する。
【００１７】
分波器１０５は、分配器１０３からの下り電気信号については７０〜７７０ＭＨｚの帯域を通過させて同軸ケーブル１６に出力し、同軸ケーブル１６からの上り電気信号については、５〜５５ＭＨｚの帯域を通過させて混合器１０４に出力する。
【００１８】
分波器１０６は、分配器１０３からの下り電気信号については３５０〜７７０ＭＨｚの帯域を通過させて同軸ケーブル１７に出力し、同軸ケーブル１７からの上り電気信号については、５〜３００ＭＨｚの帯域を通過させて混合器１０４に出力する。
【００１９】
このＦＴＴＨ方式のＣＡＴＶシステムでは、セットトップボックス１４を利用した映像配信サービスと、ケーブルモデム１５を利用したデータ通信サービスが、各加入者に提供される。映像配信サービスは、上り帯域５〜５５ＭＨｚ、下り帯域７０〜７７０ＭＨｚとする双方向通信であり、データ通信サービスは、上り帯域５〜３００ＭＨｚ、下り帯域３５０〜７７０ＭＨｚとする双方向通信である（図３参照）。
【００２０】
下り通信時における光端末機１３の動作について説明する。光ファイバーケーブル１１を介して光端末機１３に波長１５５０ｎｍの下り光信号が入力されると、Ｏ／Ｅ変換器１０１は下り光信号を下り電気信号に変換して分配器１０３に出力する。下り電気信号は、分配器１０３によって２つに分配され、それぞれ分波器１０５、１０６に入力される。分波器１０５は、映像配信サービスにおける下り帯域である７０〜７７０ＭＨｚの帯域の下り電気信号を通過させて同軸ケーブル１６に出力する。また、分波器１０６は、データ通信サービスにおける下り帯域である３５０〜７７０ＭＨｚの帯域の下り電気信号を通過させて同軸ケーブル１７に出力する。
【００２１】
次に、上り通信時における光端末機１３の動作について説明する。同軸ケーブル１６を介して光端末機１３に上り電気信号が入力されると、分波器１０５は、映像配信サービスにおける上り帯域である５〜５５ＭＨｚの帯域の上り電気信号を通過させて混合器１０４に出力する。一方、同軸ケーブル１７を介して光端末機１３に上り電気信号が入力されると、分波器１０６は、データ通信サービスにおける上り帯域である５〜３００ＭＨｚの帯域の上り電気信号を通過させて混合器１０４に出力する。分波器１０５、１０６からの上り電気信号は、混合器１０４により混合された後、Ｅ／Ｏ変換器１０２によって上り電気信号が波長１６１０ｎｍの上り光信号に変換されて出力される。上り光信号および下り光信号は、波長分割多重化装置１００によって光多重化されて、光ファイバーケーブル１１を伝送する。
【００２２】
このような光端末機１３の動作により、セットトップボックス１４を利用した映像配信サービスでは、下り７０〜７７０ＭＨｚ、上り５〜５５ＭＨｚの双方向通信が可能となり、ケーブルモデム１５を利用したデータ通信サービスでは、下り３５０〜７７０ＭＨｚ、上り５〜３００ＭＨｚの双方向通信が可能となる。
【００２３】
なお、同軸ケーブル１６を分配器を用いて分配し、セットトップボックス１４とケーブルモデムとをそれぞれ同軸ケーブル１６に接続する構成とすれば、ケーブルモデム１５を利用した下り３５０〜７７０ＭＨｚ、上り５〜３００ＭＨｚのデータ通信サービスだけでなく、下り７０〜７７０ＭＨｚ、上り５〜５５ＭＨｚのデータ通信サービスも両立して行うことが可能である。
【００２４】
以上のように、ＦＴＴＨ方式のＣＡＴＶシステムによれば、１台の光端末機１３によって映像配信サービスにおける上下帯域と、データ通信サービスにおける上下帯域とを異なるように構成することができ、データ通信サービスの上り帯域を、映像配信サービスの上り帯域よりも広くすることができる。これにより、データ通信サービスの上り通信容量増大の需要に応えることが可能となる。
【００２５】
なお、実施例では、光端末機の電気信号の入出力を２つとしたが、分配器として３分配以上のものを用い、混合器として分配器の分配数と同数の電気信号を混合するものを用い、分配数と同数の分波器を用いて実施例の光端末機と同様に構成すれば、電気信号の入出力を３つ以上とすることも可能であり、それぞれにおいて上下帯域が異なるようにすることができる。
【００２６】
また、実施例では、波長分割多重化装置を用いて複信方式とすることで、１芯の光ファイバーケーブルで双方向通信を行う構成としたが、下りと上りの伝送を分けて２芯の光ファイバーケーブルで双方向通信を行う構成としてもよい。
【００２７】
また、実施例では、分波手段として分波器を用いているが、バンドパスフィルタと分配器とを組み合わせて用いて分波手段を構成してもよい。このような構成によれば、バンドパスフィルタの換装によって上下帯域を容易に変更することが可能であり、通信サービスの運用後でも上下帯域の変更、追加を容易に行うことができる。
【産業上の利用可能性】
【００２８】
本発明のＦＴＴＨ方式のＣＡＴＶシステムによれば、上りの通信量の増大の需要に対応することが可能となる。
【符号の説明】
【００２９】
１０：ヘッドエンド
１１：光ファイバーケーブル
１２：光分配器
１３：光端末機
１４：セットトップボックス
１５：ケーブルモデム
１６、１７：同軸ケーブル
１００：波長分割多重化装置
１０１：Ｏ／Ｅ変換器
１０２：Ｅ／Ｏ変換器
１０３：分配器
１０４：混合器
１０５：、１０６：分波器
【図１】
2010263402.tif 000003
【図２】
2010263402.tif 000004
【図３】
2010263402.tif 000005
【図４】
2010263402.tif 000006